(57)【特許請求の範囲】
【請求項１】
０°給電系アセンブリと９０°給電系アセンブリとを有するスーパーターンスタイルアンテナであって、
前記０°給電系アセンブリ及び前記９０°給電系アセンブリのそれぞれは、
一対の第１給電管及び第２給電管と、
前記第１給電管の長手方向一端側に設けられた第１アンテナ素子と、
前記第１給電管の長手方向他端側に設けられた第２アンテナ素子と、
前記第２給電管の長手方向一端側に設けられた第３アンテナ素子と、
前記第２給電管の長手方向他端側に設けられた第４アンテナ素子と、を備え、
前記第１アンテナ素子は前記第１給電管の一面に設けられ、前記第２アンテナ素子は、前記第１アンテナ素子が設けられている前記一面と反対側の前記第１給電管の他の一面に設けられ、
前記第３アンテナ素子は前記第２給電管の一面に設けられ、前記第４アンテナ素子は、前記第３アンテナ素子が設けられている前記一面と反対側の前記第２給電管の他の一面に設けられ、
前記第１アンテナ素子が設けられている前記第１給電管の前記一面と前記第４アンテナ素子が設けられている前記第２給電管の前記一面とは同じ側に位置し、
前記第２アンテナ素子が設けられている前記第１給電管の前記一面と前記第３アンテナ素子が設けられている前記第２給電管の前記一面とは同じ側に位置しており、
前記０°給電系アセンブリと前記９０°給電系アセンブリとは、同軸上に組み合わされており、
前記０°給電系アセンブリと組み合わされている前記９０°給電系アセンブリは、前記０°給電系アセンブリを上下反転させた形状を有する、
スーパーターンスタイルアンテナ。
【請求項２】
請求項１に記載のスーパーターンスタイルアンテナにおいて、
前記０°給電系アセンブリ及び前記９０°給電系アセンブリのそれぞれは、
前記第１給電管又は前記第２給電管に設けられ、給電ケーブルが接続される給電部と、
前記給電部の両側に配置され、前記第１給電管と前記第２給電管とを電気的に接続する第１ジャンパー及び第２ジャンパーと、を有し、
前記０°給電系アセンブリ及び前記９０°給電系アセンブリのそれぞれにおける前記給電部から前記第１ジャンパーまでの距離と前記給電部から前記第２ジャンパーまでの距離とは同一であり、
前記０°給電系アセンブリと前記９０°給電系アセンブリとは、前記０°給電系アセンブリにおける前記給電部の位置と、前記９０°給電系アセンブリにおける前記給電部の位置とを高さ方向にずらして組み合わされている、
スーパーターンスタイルアンテナ。
【請求項３】
請求項２に記載のスーパーターンスタイルアンテナにおいて、
前記０°給電系アセンブリ及び前記９０°給電系アセンブリのそれぞれは、
前記第１ジャンパーの両側に配置され、前記第１アンテナ素子と前記第３アンテナ素子とを電気的に接続する第１ショートバー及び第２ショートバーと、
前記第２ジャンパーの両側に配置され、前記第２アンテナ素子と前記第４アンテナ素子とを電気的に接続する第３ショートバー及び第４ショートバーと、を有し、
前記０°給電系アセンブリ及び前記９０°給電系アセンブリのそれぞれにおける前記第１ジャンパーから前記第１ショートバーまでの距離と前記第１ジャンパーから前記第２ショートバーまでの距離とは同一であり、
前記０°給電系アセンブリ及び前記９０°給電系アセンブリのそれぞれにおける前記第２ジャンパーから前記第３ショートバーまでの距離と前記第２ジャンパーから前記第４ショートバーまでの距離とは同一である、
スーパーターンスタイルアンテナ。
【請求項４】
請求項２又は３に記載のスーパーターンスタイルアンテナにおいて、
前記０°給電系アセンブリ及び前記９０°給電系アセンブリのそれぞれは、
前記第２給電管に設けられた前記給電部と、
前記第１ジャンパーと前記第２ジャンパーとの間に設けられ、前記第１給電管と前記第２給電管とを電気的に接続する第３ジャンパーと、を有し、
前記給電部に供給された電力が前記第３ジャンパーを介して前記第１給電管に供給され、
前記第３ジャンパーを介して前記第１給電管に供給された電力が該第１給電管内において分配される、
スーパーターンスタイルアンテナ。
【発明の詳細な説明】
【技術分野】
【０００１】
本発明は、広帯域で無指向性の水平偏波を放射することができるターンスタイルアンテナ（turn stile antenna）が多段に積み重ねられたスーパーターンスタイルアンテナ（super turn stile antenna）に関するものである。
【背景技術】
【０００２】
一般的なスーパーターンスタイルアンテナは、０°給電系と９０°給電系とを備えている（特許文献１参照）。スーパーターンスタイルアンテナの一例として、０°給電系を構成するアンテナ素子アセンブリと９０°給電系を構成するアンテナ素子アセンブリとを用意し、これらを互いに直交するように組み合わせたスーパーターンスタイルアンテナが知られている。
【先行技術文献】
【特許文献】
【０００３】
【特許文献１】特開２００２−１５１９４６号公報
【発明の概要】
【発明が解決しようとする課題】
【０００４】
スーパーターンスタイルアンテナを構成するそれぞれのアンテナ素子アセンブリは、複数のアンテナ素子やこれらアンテナ素子同士を電気的に接続するための部材（ジャンパーやショートバー等）を含んでいる。よって、０°給電系を構成するアンテナ素子アセンブリと９０°給電系を構成するアンテナ素子アセンブリとを同軸上に組み合わせる場合には、互いのアンテナ素子や接続部材の干渉を回避する必要がある。
【０００５】
したがって、アンテナ素子や接続部材の位置（特に高さ）が互いに異なる０°給電系用のアンテナ素子アセンブリと９０°給電系用のアンテナ素子アセンブリとを別々に用意する必要がある。つまり、種類の異なる２以上のアンテナ素子アセンブリを用意し、これらを組み合わせる必要があり、使用される部材の種類が多い。
【０００６】
また、異種のアンテナ素子アセンブリ同士は電気的特性が互いに異なる。よって、異種のアンテナ素子アセンブリを組み合わせてスーパーターンスタイルアンテナを製作する際には、アンテナ素子アセンブリ同士の電気的特性を調整する必要があるが、この調整に多くの手間と時間を要することがある。
【０００７】
以上のように、従来のスーパーターンスタイルアンテナでは種類の異なる複数の部材が使用されるので、部材の組み間違えが発生し易く、また、部材同士の電気的特性の調整が必須となる。総じて、組み立てに手間や時間を要し、コスト高を招く。
【０００８】
本発明の目的は、使用する部材の種類を少なくすることができるスーパーターンスタイルアンテナを実現することである。
【課題を解決するための手段】
【０００９】
本発明のスーパーターンスタイルアンテナは、０°給電系アセンブリと９０°給電系アセンブリとを有する。前記０°給電系アセンブリ及び前記９０°給電系アセンブリのそれぞれは、一対の第１給電管及び第２給電管と、前記第１給電管の長手方向一端側に設けられた第１アンテナ素子と、前記第１給電管の長手方向他端側に設けられた第２アンテナ素子と、前記第２給電管の長手方向一端側に設けられた第３アンテナ素子と、前記第２給電管の長手方向他端側に設けられた第４アンテナ素子と、を備える。前記第１アンテナ素子は前記第１給電管の一面に設けられ、前記第２アンテナ素子は、前記第１アンテナ素子が設けられている前記一面と反対側の前記第１給電管の他の一面に設けられる。前記第３アンテナ素子は前記第２給電管の一面に設けられ、前記第４アンテナ素子は、前記第３アンテナ素子が設けられている前記一面と反対側の前記第２給電管の他の一面に設けられる。前記第１アンテナ素子が設けられている前記第１給電管の前記一面と前記第４アンテナ素子が設けられている前記第２給電管の前記一面とは同じ側に位置し、前記第２アンテナ素子が設けられている前記第１給電管の前記一面と前記第３アンテナ素子が設けられている前記第２給電管の前記一面とは同じ側に位置する。前記０°給電系アセンブリと前記９０°給電系アセンブリとは、同軸上に組み合わされている。前記０°給電系アセンブリと組み合わされている前記９０°給電系アセンブリは、前記０°給電系アセンブリを上下反転させた形状を有する。
【００１０】
本発明の一態様では、前記０°給電系アセンブリ及び前記９０°給電系アセンブリのそれぞれは、前記第１給電管又は前記第２給電管に設けられ、給電ケーブルが接続される給電部と、前記給電部の両側に配置され、前記第１給電管と前記第２給電管とを電気的に接続する第１ジャンパー及び第２ジャンパーと、を有する。前記０°給電系アセンブリ及び前記９０°給電系アセンブリのそれぞれにおける前記給電部から前記第１ジャンパーまでの距離と前記給電部から前記第２ジャンパーまでの距離とは同一である。前記０°給電系アセンブリと前記９０°給電系アセンブリとは、前記０°給電系アセンブリにおける前記給電部の位置と、前記９０°給電系アセンブリにおける前記給電部の位置とを高さ方向にずらして組み合わされる。
【００１１】
本発明の他の態様では、前記０°給電系アセンブリ及び前記９０°給電系アセンブリのそれぞれは、前記第１ジャンパーの両側に配置され、前記第１アンテナ素子と前記第３アンテナ素子とを電気的に接続する第１ショートバー及び第２ショートバーと、前記第２ジャンパーの両側に配置され、前記第２アンテナ素子と前記第４アンテナ素子とを電気的に接続する第３ショートバー及び第４ショートバーと、を有する。前記０°給電系アセンブリ及び前記９０°給電系アセンブリのそれぞれにおける前記第１ジャンパーから前記第１ショートバーまでの距離と前記第１ジャンパーから前記第２ショートバーまでの距離とは同一である。前記０°給電系アセンブリ及び前記９０°給電系アセンブリのそれぞれにおける前記第２ジャンパーから前記第３ショートバーまでの距離と前記第２ジャンパーから前記第４ショートバーまでの距離とは同一である。
【００１２】
本発明の他の態様では、前記０°給電系アセンブリ及び前記９０°給電系アセンブリのそれぞれは、前記第２給電管に設けられた前記給電部と、前記第１ジャンパーと前記第２ジャンパーとの間に設けられ、前記第１給電管と前記第２給電管とを電気的に接続する第３ジャンパーと、を有する。前記給電部に供給された電力が前記第３ジャンパーを介して前記第１給電管に供給され、前記第３ジャンパーを介して前記第１給電管に供給された電力が該第１給電管内において分配される。
【発明の効果】
【００１３】
本発明によれば、使用する部材の種類を少なくすることができるスーパーターンスタイルアンテナが実現される。
【図面の簡単な説明】
【００１４】
【図１】本発明が適用されたスーパーターンスタイルアンテナの一例を示す斜視図である。
【図２】（ａ）は０°給電系アセンブリの正面図であり、（ｂ）は９０°給電系アセンブリの正面図である。
【図３】（ａ）は参考例としての０°給電系アセンブリの正面図であり、（ｂ）は参考例としての９０°給電系アセンブリの正面図である。
【発明を実施するための形態】
【００１５】
以下、本発明の実施形態の一例について図面を参照しながら詳細に説明する。
【００１６】
図１に示されているスーパーターンスタイルアンテナ１は、０°給電系アセンブリ１００と９０°給電系アセンブリ２００とを有している。以下の説明では、０°給電系アセンブリ１００を“０°給電系１００”と略称し、９０°給電系アセンブリ２００を“９０°給電系２００”と略称する場合がある。
【００１７】
スーパーターンスタイルアンテナ１を構成している０°給電系１００と９０°給電系２００とは同一のアセンブリであって、互いに同一の要素から構成されている。つまり、０°給電系１００及び９０°給電系２００の構造，形状，寸法は同一である。一方、０°給電系１００と９０°給電系２００とは、同軸上に組み合わされてスーパーターンスタイルアンテナ１を構成している。また、０°給電系１００と組み合わされている９０°給電系２００は、０°給電系１００を上下反転させた形状を有する。すなわち、０°給電系１００を１８０度回転させたものが９０°給電系２００であると同時に、９０°給電系２００を１８０度回転させたものが０°給電系１００である。そこで、０°給電系１００及び９０°給電系２００の構造，形状，寸法等について、０°給電系１００を例にとって以下に説明する。
【００１８】
図１に示されるように、０°給電系１００に含まれる一対の第１給電管１１及び第２給電管１２は金属製の角管であって、互いに平行に並んでいる。第１給電管１１の長手方向一端（上端）と第２給電管１２の長手方向一端（上端）とは、これら給電管１１，１２に対して直交する方向に延びる金属製の角管（第１継手１５）によって接続されている。具体的には、第１給電管１１の上端と第１継手１５の一端とが突き合わされているコーナー部が２枚の金属板１６ａ，１６ｂによって両側から挟まれて固定され、第２給電管１２の上端と第１継手１５の他端とが突き合わされているコーナー部が２枚の金属板１７ａ，１７ｂによって両側から挟まれて固定されている。また、第１給電管１１の長手方向他端側（下端側）と第２給電管１２の長手方向他端側（下端側）とは、これら給電管１１，１２に対して直交する方向に延びる金属製の角管（第２継手１８）によって接続されている。具体的には、第１給電管１１の下端近傍と第２継手１８の一端とが突き合わされているコーナー部が２枚の金属板（図１には金属板は図示されておらず、図２（ａ）には一方の金属板１９ａのみが図示されている。）によって両側から挟まれて固定され、第２給電管１２の下端近傍と第２継手１８の他端とが突き合わされているコーナー部が２枚の金属板２０ａ，２０ｂによって両側から挟まれて固定されている。
【００１９】
図２（ａ）に示されるように、第１給電管１１の長手方向一端側には第１アンテナ素子２１が設けられ、第１給電管１１の長手方向他端側には第２アンテナ素子２２が設けられている。また、第２給電管１２の長手方向一端側には第３アンテナ素子２３が設けられ、第２給電管１２の長手方向他端側には第４アンテナ素子２４が設けられている。これらアンテナ素子２１，２２，２３，２４は、その形状から“バットウィングアンテナ”と呼ばれることがある。
【００２０】
図１，図２（ａ）に示されるように、第１アンテナ素子２１は、第１給電管１１の一面１１ａに設けられ、第２アンテナ素子２２は、第１アンテナ素子２１が設けられている一面１１ａと反対側の第１給電管１１の他の一面１１ｂに設けられている。また、第３アンテナ素子２３は、第２給電管１２の一面１２ｂに設けられ、第４アンテナ素子２４は、第３アンテナ素子２３が設けられている一面１２ｂと反対側の第２給電管１２の他の一面１２ａに設けられている。
【００２１】
以下の説明では、第１アンテナ素子２１が設けられている第１給電管１１の一面１１ａを“前面１１ａ”と呼び、第２アンテナ素子２２が設けられている第１給電管１１の一面１１ｂを“背面１１ｂ”と呼ぶ場合がある。また、第３アンテナ素子２３が設けられている第２給電管１２の一面１２ｂを“背面１２ｂ”と呼び、第４アンテナ素子２４が設けられている第２給電管１２の一面１２ａを“前面１２ａ”と呼ぶ場合がある。
【００２２】
図２（ａ）に示されるように、第１給電管１１の前面１１ａと第２給電管１２の前面１２ａとは同じ側に位置しており、第１給電管１１の背面１１ｂと第２給電管１２の背面１２ｂとは同じ側に位置している。換言すれば、第１アンテナ素子２１及び第４アンテナ素子２４は給電管１１，１２の一側（前面側）に配置されており、第２アンテナ素子２２及び第３アンテナ素子２３は給電管１１，１２の他側（背面側）に配置されている。
【００２３】
一方、第１アンテナ素子２１及び第３アンテナ素子２３は同じ高さに横並びで配置されており、第２アンテナ素子２２及び第４アンテナ素子２４は同じ高さに横並びで配置されている。つまり、第１アンテナ素子２１及び第３アンテナ素子２３は、第１給電管１１及び第２給電管１２の長手方向一端側に設けられて対を成している。また、第２アンテナ素子２２及び第４アンテナ素子２４は、第１給電管１１及び第２給電管１２の長手方向他端側に設けられて対を成している。そこで以下の説明では、第１アンテナ素子２１及び第３アンテナ素子２３を“第１アンテナ素子群２０Ａ”と総称し、第２アンテナ素子２２及び第４アンテナ素子２４を“第２アンテナ素子群２０Ｂ”と総称する場合がある。
【００２４】
図２（ａ）に示されるように、第２給電管１２の長手方向中央には、給電ケーブルが接続される給電部３０が設けられている。また、給電部３０と同じ高さに、第２給電管１２（給電部３０）と第１給電管１１とを電気的に接続する第３ジャンパーとしての中央ジャンパー４１が設けられている。つまり、給電部３０及び中央ジャンパー４１は、第１アンテナ素子群２０Ａと第２アンテナ素子群２０Ｂとの間に位置している。
【００２５】
さらに、給電部３０の両側には、第１給電管１１と第２給電管１２とを電気的に接続する第１ジャンパー４２及び第２ジャンパー４３が配置されている。具体的には、第１ジャンパー４２は第１アンテナ素子群２０Ａの中央に配置されており、第２ジャンパー４３は第２アンテナ素子群２０Ｂの中央に配置されている。
【００２６】
第１アンテナ素子群２０Ａに含まれるアンテナ素子同士は、第１ジャンパー４２の両側に配置されている２つのショートバーを介して電気的に接続されている。具体的には、第１アンテナ素子２１と第３アンテナ素子２３とは、第１ショートバー５１及び第２ショートバー５２を介して電気的に接続されている。
【００２７】
第２アンテナ素子群２０Ｂに含まれるアンテナ素子同士は、第２ジャンパー４３の両側に配置されている２つのショートバーを介して電気的に接続されている。具体的には、第２アンテナ素子２２と第４アンテナ素子２４とは、第３ショートバー５３及び第４ショートバー５４を介して電気的に接続されている。
【００２８】
ここで、給電部３０（中央ジャンパー４１）から第１ジャンパー４２までの距離（Ｄ１）と給電部３０（中央ジャンパー４１）から第２ジャンパー４３までの距離（Ｄ２）とは同一である。また、第１ジャンパー４２から第１ショートバー５１までの距離（Ｄ３）と第１ジャンパー４２から第２ショートバー５２までの距離（Ｄ４）とは同一である。さらに、第２ジャンパー４３から第３ショートバー５３までの距離（Ｄ５）と第２ジャンパー４３から第４ショートバー５４までの距離（Ｄ６）とは同一である。尚、上記距離（Ｄ１），（Ｄ２），（Ｄ３），（Ｄ４），（Ｄ５），（Ｄ６）は、何れも給電管１１，１２に沿った直線距離である。
【００２９】
既述のとおり、９０°給電系２００は０°給電系１００と同一のアセンブリであって、０°給電系１００と組み合わせる際に、０°給電系１００に対して１８０度回転させたアセンブリに過ぎない。そこで、図２（ｂ）に、上下を反転させた０°給電系１００、つまり９０°給電系２００を示すとともに、既に説明した構成要素と同一の構成要素には同一の符号を付して説明を省略する。
【００３０】
図２（ａ），（ｂ）から明らかなように、図２（ｂ）に示されている９０°給電系２００は、図２（ａ）に示されている０°給電系１００を給電管１１，１２の長手方向と直交し、かつ、図２の紙面と直交する軸を回転軸として１８０°回転させた形状を有する。つまり、図２（ａ）に示されている０°給電系１００と図２（ｂ）に示されている９０°給電系２００とでは、各構成要素の位置が上下逆転している。例えば、図２（ａ）に示されている０°給電系１００においては、第１アンテナ素子群２０Ａが第１給電管１１及び第２給電管１２の上部に位置し、第２アンテナ素子群２０Ｂが第１給電管１１及び第２給電管１２の下部に位置している。一方、図２（ｂ）に示されている９０°給電系２００においては、第１アンテナ素子群２０Ａが第１給電管１１及び第２給電管１２の下部に位置し、第２アンテナ素子群２０Ｂが第１給電管１１及び第２給電管１２の上部に位置している。もっとも、第１アンテナ素子群２０Ａ及び第２アンテナ素子群２０Ｂを含む各構成要素の構造，形状，寸法等に関し、０°給電系１００と９０°給電系２００との間に違いはない。
【００３１】
つまり、図２（ｂ）に示されている第１アンテナ素子２１は、図２（ａ）に示されている第１アンテナ素子２１と同一のアンテナ素子である。同様に、図２（ｂ）に示されている第２アンテナ素子２２，第３アンテナ素子２３，第４アンテナ素子２４は、図２（ａ）に示されている第２アンテナ素子２２，第３アンテナ素子２３，第４アンテナ素子２４と同一のアンテナ素子である。
【００３２】
また、図２（ｂ）に示されている給電部３０は、図２（ａ）に示されている給電部３０と同一の給電部である。同様に、図２（ｂ）に示されている中央ジャンパー４１，第１ジャンパー４２，第２ジャンパー４３は、図２（ａ）に示されている中央ジャンパー４１，第１ジャンパー４２，第２ジャンパー４３と同一のジャンパーである。図２（ｂ）に示されている第１ショートバー５１，第２ショートバー５２，第３ショートバー５３，第４ショートバー５４は、図２（ａ）に示されている第１ショートバー５１，第２ショートバー５２，第３ショートバー５３，第４ショートバー５４と同一のショートバーである。
【００３３】
但し、図１に示されるように、０°給電系１００と９０°給電系２００とは互いに直交している。つまり、９０°給電系２００は、０°給電系１００と同軸上に組み合わされる際に、その軸を回転軸として９０度回転されている。換言すれば、図１に示されている９０°給電系２００は、図２（ａ）に示されている０°給電系１００を給電管１１，１２の長手方向と直交し、かつ、図２の紙面と直交する軸を回転軸として１８０°回転させ、かつ、給電管１１，１２の長手方向及び図２の紙面と平行な軸を回転軸として９０度回転させたものである。
【００３４】
また、図１に示されるように、０°給電系１００と組み合わされている９０°給電系２００の第２継手１８は、０°給電系１００の第１継手１５の下を潜っており、第１継手１５と直交している。また、９０°給電系２００の第１継手１５は、０°給電系１００の第２継手１８の下を潜っており、第２継手１８と直交している。つまり、０°給電系１００と９０°給電系２００とは軸方向に高さをずらして組み合わされている。この結果、図２（ａ），（ｂ）に示されるように、０°給電系１００における給電部３０の位置と９０°給電系２００における給電部３０の位置とが高さ方向にずれている。具体的には、９０°給電系２００における給電部３０は、０°給電系１００における給電部３０よりも下方に位置している。本実施形態では、９０°給電系２００における給電部３０は、０°給電系１００における給電部３０よりも４０ｍｍ下方に位置しており、このずれ量（４０ｍｍ）は、継手１５，１８の太さに相当している。
【００３５】
同様に、図２（ｂ）に示されている第２アンテナ素子群２０Ｂは、図２（ａ）に示されている第１アンテナ素子群２０Ａよりも４０ｍｍ下方に位置しており、図２（ｂ）に示されている第１アンテナ素子群２０Ａは、図２（ａ）に示されている第２アンテナ素子群２０Ｂよりも４０ｍｍ下方に位置している。また、図２（ｂ）に示されている各接続部材（ジャンパーやショートバー）は、図２（ａ）に示されている各接続部材（ジャンパーやショートバー）よりも４０ｍｍ下方に位置している。つまり、０°給電系１００と９０°給電系２００とは同一形状のアセンブリ、つまり同一種類の部材であるが、互いの構成要素が干渉することなく同軸上に組み合わされている。具体的には、０°給電系１００と９０°給電系２００とは図１に示されるＸ軸上に組み合わされている。換言すれば、０°給電系１００および９０°給電系２００は共通の軸であるＸ軸を有しており、このＸ軸は、給電管１１，１２の長手方向及び図１の紙面と平行な軸である。また、Ｘ軸は、０°給電系１００の第１継手１５と９０°給電系２００の第２継手１８との交点および０°給電系１００の第２継手１８と９０°給電系２００の第１継手１５との交点を貫いている。
【００３６】
本実施形態に係るスーパーターンスタイルアンテナ１では、０°給電系１００及び９０°給電系２００の第２給電管１２（給電部３０）に同軸ケーブル（給電ケーブル）がそれぞれ接続される。同軸ケーブルを介してそれぞれの給電部３０に供給された電力は、それぞれの中央ジャンパー４１を介してそれぞれの第１給電管１１内に設けられている導体（内部導体）に供給される。中央ジャンパー４１を介して第１給電管１１内の導体に供給された電力は、第１給電管１１内において上下に分配され、一部は第１アンテナ素子群２０Ａに供給され、他の一部は第２アンテナ素子群２０Ｂに供給される。具体的には、２分配された電力の一部は第１アンテナ素子２１に供給されるとともに、第１ジャンパー４２を介して第２給電管１２内の導体（内部導体）に戻されて第３アンテナ素子２３に供給される。また、２分配された電力の他の一部は第２アンテナ素子２２に供給されるとともに、第２ジャンパー４３を介して第２給電管１２内の導体（内部導体）に戻されて第４アンテナ素子２４に供給される。尚、第１給電管１１及び第２給電管１２を構成している角管自体は外部導体として機能する。つまり、第１給電管１１及び第２給電管１２は、金属製の角管とその内部に設けられた導体とを有し、全体として給電線路を形成している。
【００３７】
図３（ａ），（ｂ）に、参考例としての０°給電系１０１及び９０°給電系２０１を示す。これら給電系１０１，２０１は、本実施形態に係る給電系１００，２００と同じく同軸上に組み合わされる。しかし、図３（ａ），（ｂ）に示されている０°給電系１０１及び９０°給電系２０１では、同軸上に組み合わされる際に互いの構成要素同士が干渉しないように、構成要素の位置を予め異ならせてある。つまり、図３（ａ）に示されている０°給電系１０１と、図３（ｂ）に示されている９０°給電系２０１とは互いに形状が異なる異種のアセンブリである。
【００３８】
具体的には、図３（ａ），（ｂ）に示されるように、０°給電系１０１及び９０°給電系２０１は、一対の第１給電管１１１及び第２給電管１１２を備えている。第１給電管１１１の前面には第１アンテナ素子２１ａ及び第２アンテナ素子２２ａが設けられ、第２給電管１１２の背面には第３アンテナ素子２３ａ及び第４アンテナ素子２４ａが設けられている。また、０°給電系１０１においては第２給電管１１２の長手方向中央に給電部３０ａが設けられ、９０°給電系２０１においては第１給電管１１１の長手方向中央に給電部３０ａが設けられている。さらに、給電部３０ａの両側には第１給電管１１１と第２給電管１１２とを電気的に接続させる第１ジャンパー４２ａ及び第２ジャンパー４３ａがそれぞれ設けられている。また、第１ジャンパー４２ａの両側には第１ショートバー５１ａ及び第２ショートバー５２ａがそれぞれ設けられ、第２ジャンパー４３ａの両側には第３ショートバー５３ａ及び第４ショートバー５４ａがそれぞれ設けられている。
【００３９】
以上のように、図３（ａ），（ｂ）に示されている０°給電系１０１及び９０°給電系２０１は、図２（ａ），（ｂ）に示されている０°給電系１００及び９０°給電系２００と略同一の構成要素を備えている。
【００４０】
しかし、図３（ａ）に示されている０°給電系１０１と図３（ｂ）に示されている９０°給電系２０１とは、互いの給電部３０ａの高さ位置をずらすことなく同軸上に組み合わされる。このため、同軸上に組み合わせる際に互いのジャンパーやショートバーが干渉しないように、これらの高さ位置を予めずらしてある。具体的には、０°給電系１０１における給電部３０ａと９０°給電系２０１における給電部３０ａとは同じ高さに設けられているが、９０°給電系２０１における第１ショートバー５１ａ及び第２ショートバー５２ａは、０°給電系１０１におけるそれらよりも低い位置に設けられている。一方、９０°給電系２０１における第３ショートバー５３ａ及び第４ショートバー５４ａは、０°給電系１０１におけるそれらよりも高い位置に設けられている。また、９０°給電系２０１における第１ジャンパー４２ａ及び第２ジャンパー４３ａは、０°給電系１０１におけるそれらよりも低い位置に設けられている。
【００４１】
以上のように、図３（ａ）に示されている０°給電系１０１と図３（ｂ）に示されている９０°給電系２０１とは互いに形状が異なる異種のアセンブリなので、別々に設計し、製作しなくてはならない。
【００４２】
また、０°給電系１０１内における給電部３０ａから各接続部材（ジャンパーやショートバー）までの距離と、９０°給電系２０１内における給電部３０ａから各接続部材（ジャンパーやショートバー）までの距離とが異なる。よって、０°給電系１０１と９０°給電系２０１の電気的特性は一致しない。したがって、０°給電系１０１と９０°給電系２０１とを組み合わせてスーパーターンスタイルアンテナを製作する際には、電気的特性の調整が必要となる。
【００４３】
これに対し、本実施形態に係るスーパーターンスタイルアンテナ１は、同一の構造，形状，寸法を有する同種のアンテナ素子アセンブリの組み合わせによって構成されている。よって、０°給電系用のアンテナ素子アセンブリと９０°給電系用のアンテナ素子アセンブリとを別々に用意する必要がなく、使用される部材の種類が少ない（使用される部材は一種類である）。また、本実施形態に係るスーパーターンスタイルアンテナ１を構成している２つのアンテナ素子アセンブリは同一の構造，形状，寸法を有するので、電気的特性が一致している。よって、これらアンテナ素子アセンブリを組み合わせてスーパーターンスタイルアンテナを製作する際に、アンテナ素子アセンブリ同士の電気的特性を調整する必要がない。
【００４４】
本発明は上記実施形態に限定されるものではなく、その要旨を逸脱しない範囲で種々変更可能である。例えば、上記実施形態では、一方の給電管に供給された電力が他方の給電管に送られ、該給電管内において分配された。しかし、かかる給電経路は、上記実施形態における条件下で好適な電気的特性を得るために採用されたものである。よって、条件が異なる場合には他の給電経路が採用されることもある。例えば、一方の給電管に供給された電力が該給電管内において分配される給電経路が採用されることもある。
【符号の説明】
【００４５】
１    スーパーターンスタイルアンテナ
１１，１１１    第１給電管
１１ａ，１２ａ    一面（前面）
１１ｂ，１２ｂ    一面（背面）
１２，１１２    第２給電管
１５    第１継手
１６ａ，１６ｂ，１７ａ，１７ｂ，１９ａ，２０ａ，２０ｂ    金属板
１８    第２継手
２０Ａ    第１アンテナ素子群
２０Ｂ    第２アンテナ素子群
２１，２１ａ    第１アンテナ素子
２２，２２ａ    第２アンテナ素子
２３，２３ａ    第３アンテナ素子
２４，２４ａ    第４アンテナ素子
３０，３０ａ    給電部
４１    第３ジャンパー（中央ジャンパー）
４２，４２ａ    第１ジャンパー
４３，４３ａ    第２ジャンパー
５１，５１ａ    第１ショートバー
５２，５２ａ    第２ショートバー
５３，５３ａ    第３ショートバー
５４，５４ａ    第４ショートバー
１００，１０１  ０°給電系アセンブリ（０°給電系）
２００，２０１  ９０°給電系アセンブリ（９０°給電系）
【図１】
0006541511.tif 000002
【図２】
0006541511.tif 000003
【図３】
0006541511.tif 000004